(57)【要約】  画面表示装置（２００）は、地図情報上にネットワーク（ＮＷ）を構成する装置、リンク、パス、障害の発生ポイント（警報）等を表示した三次元表示画面を表示する。また、画面表示装置（２００）は、各装置の属性ごとに階梯を定義し、階梯が低い装置（ＮＷの末端の装置）は三次元表示画面上で低い位置に配置し、階梯が高い装置は高い位置に配置する。さらに、画面表示装置（２００）は、複数の階梯にまたがる個所には高さを示す目印を併記し、各装置の階梯の高さを視認しやすくする。また、画面表示装置（２００）は、現用系・予備系のペアとなる装置群を囲む表示をし、障害発生時にサービス提供可能な系統があるかを判断しやすくする。
2014017385.tif 000002
【特許請求の範囲】
【請求項１】
ネットワークの状況を示す画面を生成する画面表示装置であって、
（１）前記ネットワークを構成する装置ごとに、当該装置が、前記ネットワークにおける末端の装置、前記末端の装置へ各種データを送信するサーバ装置、前記サーバ装置と末端の装置との間でデータ転送を行う転送装置、および、前記転送装置および前記末端の装置を制御する制御装置、のいずれの属性であるかを示す情報と、当該装置の地図上の座標位置と、当該装置と現用系または予備系のペアになる装置があるとき、前記ペアとなる装置とを示した装置属性情報と、（２）前記装置の間の接続関係を示した装置間接続情報と、（３）前記属性ごとの、当該属性に対応する階梯と、当該階梯の装置の三次元表示画面上での高さ座標とを示す設定情報と、（４）前記ネットワークのフローごとの、前記フローの経由する装置を示した解析済みフロー情報と、（５）前記ネットワークの各装置および前記各装置間を接続するリンクそれぞれへの警報を示した警報情報と、をそれぞれの情報の時刻情報とともに記憶する記憶部と、
どの時刻におけるネットワーク状況を表示するかを指示する表示時刻の選択入力を受け付け、処理部により生成された前記ネットワーク状況を示す三次元表示画面を前記表示装置に出力する入出力部と、
前記三次元表示画面を生成する処理部とを備え、
前記処理部は、
前記装置間接続情報を参照して、前記選択入力された表示時刻における前記装置の間の接続関係を特定し、
前記装置属性情報および前記設定情報を参照して、前記選択入力された表示時刻における前記装置の、前記三次元表示画面上のｘｙ平面の座標位置およびｚ軸の座標位置を決定して、前記三次元表示画面上の前記決定した座標位置に前記装置を配置し、
前記装置属性情報を参照して、前記選択入力された表示時刻において前記装置とペアになる装置があるとき、前記三次元表示画面上に前記ペアになる装置群をペアとなる装置群であることを示す表示とともに配置し、
前記警報情報を参照して、前記選択入力された表示時刻における、前記警報の対象となっている装置およびリンクがあれば前記警報を、前記三次元表示画面上の前記装置およびリンクの近傍に配置し、
前記解析済みフロー情報を参照して、前記選択入力された表示時刻におけるフローを、前記三次元表示画面上における前記フローの経由するリンクに配置し、
前記三次元表示画面上に、前記装置、前記装置間を接続するリンクおよび前記リンクを経由するフロー並びに前記装置およびリンクの警報情報を重畳して配置した表示画面を生成することを特徴とする画面表示装置。
【請求項２】
前記設定情報における前記装置の前記三次元表示画面上での高さ座標は、前記ネットワークの末端に位置する属性の装置ほど低い座標であることを特徴とする請求項１に記載の画面表示装置。
【請求項３】
前記処理部は、
前記入力された表示時刻から所定時刻までの各時刻における前記三次元表示画面を生成し、前記生成した前記三次元表示画面を前記入出力部経由で連続的に表示することを特徴とする請求項１に記載の画面表示装置。
【請求項４】
前記処理部は、
前記装置、リンク、フローおよび警報情報の重なりを低減するように調整した前記三次元表示画面を生成することを特徴とする請求項１に記載の画面表示装置。
【請求項５】
前記処理部は、
前記入出力部経由で、前記三次元表示画面の視点および方向の選択入力を受け付けたとき、前記選択された視点および方向から見た前記三次元表示画面を生成することを特徴とする請求項１に記載の画面表示装置。
【請求項６】
請求項１ないし請求項５のいずれか１項に記載の画面表示装置と、前記警報情報および前記解析済みフロー情報の素となる情報を、前記画面表示装置へ送信する前記ネットワークを構成する装置とを備えるシステム。
【請求項７】
ネットワークの状況を示す画面を生成する画面表示装置による表示画面生成方法であって、
（１）前記ネットワークを構成する装置ごとに、当該装置が、前記ネットワークにおける末端の装置、前記末端の装置へ各種データを送信するサーバ装置、前記サーバ装置と末端の装置との間でデータ転送を行う転送装置、および、前記転送装置および前記末端の装置を制御する制御装置、のいずれの属性であるかを示す情報と、当該装置の地図上の座標位置と、当該装置と現用系または予備系のペアになる装置があるとき、前記ペアとなる装置とを示した装置属性情報と、（２）前記装置の間の接続関係を示した装置間接続情報と、（３）前記属性ごとの、当該属性に対応する階梯と、当該階梯の装置の三次元表示画面上での高さ座標とを示す設定情報と、（４）前記ネットワークのフローごとの、前記フローの経由する装置を示した解析済みフロー情報と、（５）前記ネットワークの各装置および前記各装置間を接続するリンクそれぞれへの警報を示した警報情報と、をそれぞれの情報の時刻情報とともに記憶する記憶部と、
どの時刻におけるネットワーク状況を表示するかを指示する表示時刻の選択入力を受け付け、処理部により生成された前記ネットワーク状況を示す三次元表示画面を前記表示装置に出力する入出力部と、
前記三次元表示画面を生成する前記処理部とを備える前記画面表示装置において、前記処理部が、
前記装置間接続情報を参照して、前記選択入力された表示時刻における前記装置の間の接続関係を特定するステップと、
前記装置属性情報および前記設定情報を参照して、前記選択入力された表示時刻における前記装置の、前記三次元表示画面上のｘｙ平面の座標位置およびｚ軸の座標位置を決定して、前記三次元表示画面上の前記決定した座標位置に前記装置を配置するステップと、
前記装置属性情報を参照して、前記選択入力された表示時刻において前記装置とペアになる装置があるとき、前記三次元表示画面上に前記ペアになる装置群をペアとなる装置群であることを示す表示とともに配置するステップと、
前記警報情報を参照して、前記選択入力された表示時刻における、前記警報の対象となっている装置およびリンクがあれば前記警報を、前記三次元表示画面上の前記装置およびリンクの近傍に配置するステップと、
前記解析済みフロー情報を参照して、前記選択入力された表示時刻におけるフローを、前記三次元表示画面上における前記フローの経由するリンクに配置するステップと、
前記三次元表示画面上に、前記装置、前記装置間を接続するリンクおよび前記リンクを経由するフロー並びに前記装置およびリンクの警報情報を重畳して配置した表示画面を生成するステップと、
を実行することを特徴とする画面生成方法。
【発明の詳細な説明】
【技術分野】
【０００１】
本発明は、ネットワークの状況の画面表示装置、システムおよび画面表示方法に関する。
【背景技術】
【０００２】
通信事業者のネットワークには転送装置、制御装置等の様々な装置が用いられる。ネットワーク構成を表示する方法の一つに、装置の地理的な位置情報を用いて、地図上の対応個所に装置を描画する方法がある（図１。非特許文献１のＩＴＵ−Ｔ  Ｚ．３６２参照）。なお、以下において説明する従来技術および本発明の実施の形態におけるネットワークでは、各装置が図１に示す接続関係で接続されているものとして説明する。この装置の地理的な位置情報を用いて、地図上の対応個所に装置を描画する方法では、ネットワークが、サーバ等の上位サービス装置１６１と、ネットワーク末端の装置である下位サービス装置１０１，１０２，１０３と、データ転送を行う転送装置１２１，１２２と、転送装置１２１，１２２や下位サービス装置１０１〜１０３の制御を行う制御装置１４１とで構成されている。そして、各装置間は、図１に示すような接続関係で接続されている。この方法は、装置の位置や、装置がカバーする地理的な範囲を、画面の閲覧者が画面上で認識しやすいという利点がある。【０００３】
ネットワーク構成を表示する方法には他にも、地理的な情報をまったく考慮せず、装置間の論理的な接続関係のみに基づいた表示方法（図２参照。非特許文献１のＩＴＵ−Ｔ  Ｚ．３６２参照）もある。図２において、□は装置を示し、装置間を結ぶ線はリンクを示す。さらにその派生形として、ネットワークの装置のうち、同じ機能、同じ役割の装置を同じ階層に配置する方法がある（図３参照）。この方法では、階層については、ネットワークの末端に位置する装置の階層（図３に示す破線で囲まれる範囲）を最下位として末端の装置から最上位の装置へ経由する装置の数（ホップ数）を基に定義する。また、この階層群を「階梯」として定義する。そして、画面表示装置において、全装置・全階梯を一括して画面上に表示し、同じ機能・役割のものを同じ階層に配置して整理する。図３に例示した方法は、装置の機能・役割やネットワークの論理構成を、閲覧者が画面上で認識しやすいという利点がある。【０００４】
図１〜３に示す画面表示方法においては、ネットワークの全体表示の他に、ネットワークの一部のみを切り出して表示することもできる。切り出し方としては、一部の装置周辺の構成のみを切り出す方法や、一部地域の装置構成のみを切り出す方法の他に、ある特定の機能を持つ装置群、階梯や、ある特定のサービスに関する階梯のみを切り出す方法がある（非特許文献２、図４および図５参照）。例えば、ある特定の機能を持つ装置群のみを切り出す例として、特定の制御系機能を持つ装置群の階梯（制御プレーン）のみを切り出す例が挙げられる。図４Ａは、図３に示したネットワークの各階梯の接続状況を示したものである。この図４Ａに示すネットワーク表示に対して、制御プレーンの切り出しを行った結果が、図４Ｂのように表示される。そして、図４Ｂでは、図４Ａに示す装置のうち、転送装置１２１，１２２を除く、制御装置１４１、サービス装置（上位サービス装置１６１、下位サービス装置１０１〜１０３）のみを切り出して表示している。また、制御プレーンに属する各装置の間には、物理的には転送装置や転送リンクが介在する。この図４Ｂに示す表示方法においては制御系装置相互の接続状況を明確にするために、制御系装置間に介在する転送装置１２１，１２２および転送リンク等の物理的な接続状況を、制御リンク（図４Ｂに示す破線直線）に抽象化して表示している。これにより装置間の制御系機能の動作状況を、閲覧者が画面上で認識しやすくする。【０００５】
さらに、ある特定のサービスに係る階梯のみ切り出す例として、サービスプレーンの階梯のみ切り出して表示する例がある。図５Ａは、図３に示したネットワークの各階梯の接続状況を示したものである。この図５Ａに示すネットワーク表示に対して、サービスプレーンの切り出しを行った結果が、図５Ｂのように表示される。そして、図５Ｂでは、図５Ａに示す装置のうち、サービス装置（上位サービス装置１６１と下位サービス装置１０１〜１０３）のみを切り出している。装置間には転送装置１２１，１２２、転送リンクが介在し、サービスを実現するために制御プレーンに属する転送装置１２１，１２２および制御装置１４１が協調動作するが、この表示方法においては、サービス系装置間に介在する転送装置１２１，１２２および制御装置１４１の構成を抽象化してサービスリンク１５２として表示する。これにより装置間のサービス提供状況を、閲覧者が画面上で認識しやすくする。【０００６】
ここで、ネットワークの障害（異常）発生時には各階梯単位の動作正常性確認、原因装置特定や、ある装置の異常による他の装置への影響確認、さらには影響を被った地域やユーザ数（以上まとめて、り（罹）障範囲とする）の把握が必須となる。【０００７】
そこで、図６に示すように、ネットワークの装置やリンク等から何らかの警報が発出された場合や、装置からの応答がない等異常が疑われる場合は、表示画面上の該当する装置やリンクに対して付加記号を重畳したり、装置、リンクの色を変えたりする等して該当する個所を閲覧者に明示する方法も提案されている。
【先行技術文献】
【非特許文献】
【０００８】
【非特許文献１】ITU-T Z.352, Z.361,Ｚ362，Z.371, Z.372、[online]、[平成２４年６月２３日検索]、インターネット、<URL: http://www.itu.int/ITU-T/>
【非特許文献２】Route Explorer, [online]、[平成２４年６月２３日検索]、インターネット、<URL:http://www.toyo.co.jp/packetdesign/>
【発明の概要】
【発明が解決しようとする課題】
【０００９】
しかしながら、前記した技術には以下の問題点がある。まず、図１，２に例示した地理的な配置に基づいた平面表示方法や装置間の論理的な接続関係のみに基づいた表示方法では、り障範囲を推測することは可能である。しかし、当該表示方法は、階梯構成を表現することが難しく、表示画面の閲覧者にとって、異常の発生した装置が、重要な装置か末端の装置か否かを図６に示すように画面上で一目で区別できないという問題がある。【００１０】
また、図３に例示した各階梯の接続状況を一括して平面表示する方法において、警報を併せて表示する方法（図７参照）も考えられる。しかし、この方法では、全装置の接続状況が一括して表示される一方、表示画面の閲覧者は、各装置の地理的な位置関係が表現されないことから、り障範囲を読み取ることが難しい。また、図７は、転送装置１２１，１２２の障害が起因となって複数の階梯をまたいで多くの装置に影響（通信障害）が及ぶ場合の表示画面例を示しているが、表示画面の閲覧者にとって、画面上で異常の原因となる階梯を把握しづらいという問題点もある。【００１１】
さらに、図４，５に例示したネットワークの一部の装置のみ切り出して表示する方法において、切り出した表示画面上に警報を併せて表示する方法も考えられる。例えば、図８Ａは、図４Ｂの表示画面上に警報を併せて表示した例である。また、図８Ｂは、図５Ｂの表示画面上に警報を併せて表示した例である。この方法によれば、表示画面の閲覧者は、切り出したプレーン等に閉じた障害を視認しやすい。しかし、図４Ａに示すネットワーク図の転送装置１２１，１２２が起因となって他階梯の装置にも影響が及ぶ場合等、複数プレーンに波及する障害では原因階梯・個所の特定が難しい。例えば、転送装置１２１，１２２が起因となって他階梯の装置にも影響が及ぶ場合、表示画面上は、図８Ａには制御リンク１５１の警報があるものの、制御プレーンには原因となる装置はなく、また図８Ｂにはサービスリンク１５２の警報があるものの、サービスプレーンには原因となる装置がないという状況になる。この場合、画面表示装置の閲覧者は、全装置・全階梯を一括表示する画面への切り替え等を行い、障害の原因個所を推測しなければならない。また、この方法では、地理的な状況が表現されないことから、り障範囲の特定が難しいという問題がある。【００１２】
このように、障害発生時には、閲覧者は、画面表示装置を操作して、色々な画面を切り替えつつ、画面上で原因となる階梯や、装置や、り障範囲を把握するしかなく、手順が煩雑となりがちである。【００１３】
さらに、前記した方法はいずれも、現用系・予備系等、複数系を組んでいる装置について装置間の関係が画面上に表示されない。このため、複数の装置に障害が発生する場合において、複数系全断によりサービス提供不可となる状態か、一系統でも正常であり、サービス提供可能な状態であるかを、閲覧者が画面上で判断することが難しい。【００１４】
さらに、多重障害が発生する場合や、１つの障害が複数の階梯や装置に及ぶ場合等において、原因となる階梯や原因個所の特定を行うためには、時間軸をさかのぼって障害の発生個所や伝播状況を把握することが重要である。特に障害が最初に発生した個所を把握することが重要である。しかし、従来の表示方法では、ある時刻のネットワークの状況しか表示しないので、障害の発生や伝播の時間的な変化を閲覧者が画面上で把握することが難しい。【００１５】
そこで、本発明は、前記した問題を解決し、ネットワークの障害発生時に、画面表示装置の閲覧者が、画面上で障害の発生ポイントや、原因個所や、階梯や、り障範囲等を把握しやすい画面表示装置等を提供することを課題とする。
【課題を解決するための手段】
【００１６】
前記した課題を解決するため、ネットワークの状況を示す画面を生成する画面表示装置を以下の構成とした。すなわち、本発明の画面表示装置は、（１）ネットワークを構成する装置ごとに、当該装置が、ネットワークにおける末端の装置、末端の装置へ各種データを送信するサーバ装置、サーバ装置と末端の装置との間でデータ転送を行う転送装置、および、転送装置および末端の装置を制御する制御装置、のいずれの属性であるかを示す情報と、当該装置の地図上の座標位置と、当該装置と現用系または予備系のペアになる装置があるとき、ペアとなる装置とを示した装置属性情報と、（２）装置の間の接続関係を示した装置間接続情報と、（３）属性ごとの、当該属性に対応する階梯と、当該階梯の装置の三次元表示画面上での高さ座標とを示す設定情報と、（４）ネットワークのフローごとの、フローの経由する装置を示した解析済みフロー情報と、（５）ネットワークの各装置および各装置間を接続するリンクそれぞれへの警報を示した警報情報と、をそれぞれの情報の時刻情報とともに記憶する記憶部と、どの時刻におけるネットワーク状況を表示するかを指示する表示時刻の選択入力を受け付け、処理部により生成されたネットワーク状況を示す三次元表示画面を表示装置に出力する入出力部と、三次元表示画面を生成する処理部とを備える。そして、この処理部は、装置間接続情報を参照して、選択入力された表示時刻における装置の間の接続関係を特定し、装置属性情報および設定情報を参照して、選択入力された表示時刻における装置の、三次元表示画面上のｘｙ平面の座標位置およびｚ軸の座標位置を決定して、三次元表示画面上の決定した座標位置に装置を配置し、装置属性情報を参照して、選択入力された表示時刻において装置とペアになる装置があるとき、三次元表示画面上にペアになる装置群をペアとなる装置群であることを示す表示とともに配置し、警報情報を参照して、選択入力された表示時刻における、警報の対象となっている装置およびリンクがあれば警報を、三次元表示画面上の装置およびリンクの近傍に配置し、解析済みフロー情報を参照して、選択入力された表示時刻におけるフローを、三次元表示画面上におけるフローの経由するリンクに配置し、三次元表示画面上に、装置、装置間を接続するリンクおよびリンクを経由するフロー並びに装置およびリンクの警報情報を重畳して配置した表示画面を生成する。【００１７】
また、前記した画面表示装置と、警報情報および解析済みフロー情報の素となる情報を、画面表示装置へ送信する、ネットワークを構成する装置と、を備えるシステムとした。【００１８】
このように画面表示装置は、三次元表示画面上に装置の階梯に応じて高さを変えた表示をするので、画面の閲覧者が、異常の発生した装置がどの階梯の装置かを一目で認識でき、障害の重要度を把握しやすくなる。また、閲覧者は、異常の原因となっている階梯を把握しやすくなる。また、画面表示装置は、表示画面上に装置の地理的な位置関係を表示するので、閲覧者は、り障範囲を把握しやすくなる。さらに、画面表示装置は、三次元表示画面上に現用系・予備系でペアとなる装置群を表示するので、閲覧者が、障害発生時にどちらか一系統でもサービスを提供可能である状態かを、判断しやすくなる。また、画面表示装置は、閲覧者が選択した任意の時刻におけるネットワークの状況の表示を行うので、障害の発生や伝播の時間的な変化を画面上で把握しやすくなる。【００１９】
また、前記した画面表示装置の設定情報における装置の三次元表示画面上での高さ座標を、ネットワークの末端に位置する属性の装置ほど低い座標とした。【００２０】
このようすることで画面表示装置は、ネットワークの末端に近い装置ほど、三次元表示画面上で低い位置に表示するので、画面の閲覧者が、異常の発生した装置がネットワークの末端に近い装置か否かを一目で認識できる。【００２１】
また、前記した画面表示装置の処理部は、入力された表示時刻から所定時刻までの各時刻における三次元表示画面を生成し、生成した三次元表示画面を入出力部経由で連続的に表示する。【００２２】
このようにすることで、画面表示装置の画面の閲覧者は、障害の発生や伝播の時間的な変化を画面上でさらに把握しやすくなる。【００２３】
また、前記した画面表示装置の処理部は、装置、リンク、フローおよび警報情報の重なりを低減するように調整した三次元表示画面を生成する。【００２４】
このようにすることで、画面表示装置の画面の閲覧者は、障害の発生ポイントや、原因個所や、階梯や、り障範囲等を画面上でさらに把握しやすくなる。【００２５】
また、前記した画面表示装置の処理部は、入出力部経由で、三次元表示画面の視点および方向の選択入力を受け付けたとき、選択された視点および方向から見た三次元表示画面を生成する。【００２６】
このようにすることで、画面表示装置の画面の閲覧者は、障害の発生ポイントや、原因個所や、階梯や、り障範囲等を画面上でさらに把握しやすくなる。
【発明の効果】
【００２７】
本発明によれば、複数階梯によって構成されるネットワークの情報や警報情報を三次元表示画面上に表示するので、画面表示装置の画面の閲覧者が障害の発生ポイントや、原因個所や、階梯や、り障範囲等を把握しやすくなる。
【図面の簡単な説明】
【００２８】
【図１】ＮＷの状況を地理的な配置に基づき表示した例である。
【図２】ＮＷの状況を論理トポロジに基づき表示した例である。
【図３】ＮＷの各階梯の接続状況を一括表示した例である。
【図４Ａ】図３に示したネットワークの各階梯の接続状況の例である。
【図４Ｂ】図４Ａに対して、制御系装置間に介在する転送装置、転送リンク等物理的な接続状況を制御リンクに抽象化して表示した例である。
【図５Ａ】図３に示したネットワークの各階梯の接続状況の例である。
【図５Ｂ】図５Ａに対して、サービス系装置間に介在する転送装置、制御装置等の構成をサービスリンクに抽象化して表示した例である。
【図６】ＮＷの状況を地理的な配置に基づき表示した例である。
【図７】図３の表示方法において、警報を併せて表示した例である。
【図８Ａ】図４Ｂの表示画面上に警報を併せて表示した例である。
【図８Ｂ】図５Ｂの表示画面上に警報を併せて表示した例である。
【図９】本実施の形態の表示画面例を示した図である。
【図１０】障害発生時における本実施の形態の表示画面例を示した図である。
【図１１】障害発生時における本実施の形態の表示画面例を示した図である。
【図１２】本実施の形態の画面表示装置の構成例を示した図である。
【図１３】装置属性情報、装置間接続情報および設定情報を例示した図である。
【図１４】図１２の画面表示装置の処理手順を示した図である。
【図１５】本実施の形態において、制御・サービスに関する項目を表示し、装置間リンクおよび転送装置を非表示にした場合の表示画面例を示した図である。
【図１６Ａ】本実施の形態の画面表示における、視点の位置および向きを設定した場合の表示画面例を示した図である。
【図１６Ｂ】図１６Ａに示す視点１から見た表示画面例を示した図である。
【図１６Ｃ】図１６Ａに示す視点２から見た表示画面例を示した図である。
【図１７Ａ】図１６Ｂの表示画面上に、警報も併記した表示画面例を示した図である。
【図１７Ｂ】図１６Ｃの表示画面上に、警報も併記した表示画面例を示した図である。
【図１７Ｃ】サービスプレーンの装置およびリンクに絞り込んだ表示画面上に、警報も併記した表示画面例を示した図である。
【図１８】障害発生時における本実施の形態の表示画面例を示した図である。
【図１９Ａ】時間軸バーによって選択された過去の状況表示の画面例を示した図である。
【図１９Ｂ】時間軸バーによって選択された次の状況表示の画面例を示した図である。
【図１９Ｃ】時間軸バーによって選択された現在の状況表示の画面例を示した図である。
【発明を実施するための形態】
【００２９】
以下、図９〜図１９を参照しながら、本発明を実施するための形態（以下、実施の形態という）について説明する。ここでは、図９に示すようにネットワーク（ＮＷ）が、サーバ等の上位サービス装置１６１、ＮＷの末端の装置である下位サービス装置１０１，１０２，１０３、各装置間のデータ転送を行う転送装置１２１，１２２およびこの転送装置１２１，１２２や下位サービス装置１０１〜１０３の制御を行う制御装置１４１で構成されており、これらの装置が図９に示すようにリンク接続されている場合を例に説明する。以下に示す表示画面例では、説明のため三次元空間のｘｙｚ軸を示したが、このｘｙｚ軸の表示は必須ではない。
【００３０】
本実施の形態の画面表示装置２００（後記する図１２参照）は、図９に例示するように、ＮＷの全装置の階梯や接続関係、現用系・予備系でペアとなる装置群を、三次元表示画面に表示する。そして、障害発生時には、この三次元表示画面上に警報情報を表示する（図１０参照）。ここでは、まず画面表示装置２００が生成する表示画面の概要を説明し、画面表示装置２００の構成および処理手順については図１２〜図１４を用いて後記する。
【００３１】
画面表示装置２００は、図９に例示するように、ｘｙｚ軸で表される三次元空間のうちｘｙ平面に地図情報を重畳する。そして、画面表示装置２００は、各装置の設置される位置の緯度・経度等の地理情報を用いて、各装置の地図上の配置位置を表現する。これにより、画面表示装置２００の画面の閲覧者は、画面上で、障害発生時に障害の影響を受けた地域や影響ユーザ数を推測しやすくなる。また、画面表示装置２００は、装置間接続情報（後記する図１３参照）を基に、接続関係にある装置間を線（リンク）で結ぶ。これにより、閲覧者は、画面上で、装置間の接続関係を把握し、障害発生時における、り障範囲を推測しやすくなる。なお、画面表示装置２００は、装置間のリンクと、制御リンク１５１（制御プレーンのリンク）と、サービスリンク１５２（サービスプレーンのリンク）とをそれぞれ区別可能な表示とする。例えば、図９に示すように、画面表示装置２００は、装置間のリンクを実線、制御プレーン上のリンクを破線、サービスプレーン上のリンクを三重線で表示する。これにより、閲覧者は、各プレーンから見た各装置間の接続関係を把握しやすくなる。
【００３２】
さらに、画面表示装置２００は、画面上で、三次元空間のｚ軸（高さ）を利用して、各装置の属性を階梯で表現する。ここでの属性は、各装置を、上位サービス装置、下位サービス装置、転送装置および制御装置のいずれかに分類したものである。図９に示した例では、各属性のうち、上位サービス装置１６１の階梯を最上位の階梯とし、下位サービス装置１０１〜１０３の階梯を最下位の階梯としている。また、転送装置１２１，１２２の階梯を下から二番目の階梯とし、制御装置１４１の階梯を下から三番目の階梯としている。
【００３３】
画面表示装置２００は、画面上において、同じ階梯（属性）の装置群を同じ高さのｘｙ平面に配置し、異なる階梯の装置群をそれぞれ異なる高さのｘｙ平面に配置する。例えば、図９に示すように、装置の属する各階梯をそれぞれ階層１〜階層４の高さのｘｙ平面に配置する。これにより、閲覧者は、障害発生時に、画面上で、異常の発生した装置がどの階梯（属性）の装置なのかを把握しやすくなる。また、画面表示装置２００は、最下位の階梯の上の階梯に装置が存在する個所については、画面上で高さを示す目印（立方体、物差し等）を併記するようにしてもよい。例えば、図９に示すように、末端階梯より上の階梯の装置が存在する個所（下位サービス装置１０２、転送装置１２２および上位サービス装置１６１）について、画面表示装置２００は、これらの装置群を重要ビル１５５として立方体で囲む。このようにすることで、閲覧者は、各装置の階梯を視認しやすくなる。
【００３４】
また、画面表示装置２００は、図１０に例示するように、装置およびリンクの障害警報を三次元表示画面に重畳する。例えば、ＮＷのある装置に障害が発生し、その障害がその装置の配下の装置やリンクに波及する場合は、三次元表示画面に、障害の原因となる装置とその周辺に警報情報が表示される。これにより、閲覧者は、表示画面上で障害の原因個所を容易に把握可能となる。さらに、画面表示装置２００は、複数の装置で、現用系・予備系を組む装置については、画面上において、これら装置群を線で囲む等してグループを明示する。例えば、図９，１０に示すように同じグループの装置群を楕円１５４で囲む。これにより、現用系・予備系を組む装置群を、閲覧者が画面上で認識しやすくなる。よって、ある装置の障害発生時における、サービスの影響度を、閲覧者が画面上で推測しやすくなる。
【００３５】
例えば、図１０に示す例では、一点鎖線１５６で囲まれた装置群の両系（転送装置１２１，１２２）がダウンした場合を示している。この装置群の両系ダウンが原因となり、この影響が他の装置にも波及し、大量の警報が発出されている。従来の表示画面では、表示画面上の大量の警報の羅列が表示されるのみであるので、閲覧者が異常の原因個所を把握することは難しい。しかし、画面表示装置２００は、表示画面上に原因個所を中心として警報をマッピングするので、閲覧者が表示画面上で異常の原因（中心）となる個所を推測しやすくなる。また、表示画面上に、装置やリンクの警報表示により、閲覧者はり障範囲を推測しやすくなる。
【００３６】
さらに、図１０では、画面表示装置２００は、ＮＷの警報や障害の発生状況の表示について、閲覧者が選択した任意の時刻におけるＮＷの警報や障害の発生状況を表示する。例えば、画面表示装置２００は、表示画面上に、閲覧者から、ＮＷの警報や障害の発生状況の表示について、いつの時刻の状況を表示すべきかの指示入力を受け付ける時間軸バー１５９を表示し、この時間軸バーで選択された時刻におけるＮＷの警報や障害の発生状況を三次元表示画面上に表示する。このようにすることで、閲覧者は、三次元表示画面上に任意の時刻におけるＮＷの警報や障害の発生状況を表示させることができる。これにより、閲覧者は、例えば、現在から過去に遡ってＮＷの警報や障害の発生状況を確認できるので、障害の発生源となった装置やリンクを特定しやすくなる。
さらに、図１１に示すように、画面表示装置２００は、三次元表示画面上にフロー１５７（パケットの流れ）を示す破線矢印を重畳して表示するとともに、障害によりそのフローが途絶するポイントがあれば、そのポイント１５８を×印で示す。これにより、閲覧者は異常の原因個所を推測しやすくなる。
【００３７】
＜構成＞
次に、図１２を用いて、画面表示装置２００の構成を説明する。画面表示装置２００は、前記したとおり、ＮＷの全装置の階梯や接続関係、複数系を組む個所の情報、各種警報や障害の発生状況を示した三次元表示画面を生成する。この画面表示装置２００は、ＮＷを構成する各装置（例えば、図９に示す転送装置１２１，１２２、制御装置１４１、上位サービス装置１６１、下位サービス装置１０１〜１０３）と接続されており、これらの装置から、ＮＷに関する警報やフローの流量情報を受信する。また、画面表示装置２００は、閲覧者から画面表示に関する各種指示入力を受け付けるキーボードやマウス等の入力装置４００を接続している。また、画面表示装置２００は、画面表示を行う液晶ディスプレイ等の表示装置３００を接続している。画面表示装置２００は、入力装置４００からの指示入力と、各装置から受信した情報とに基づき、ＮＷの状況を示す三次元表示画面を生成し、表示装置３００に出力表示する。閲覧者は、この三次元表示画面を見ることでＮＷの状況を確認する。
【００３８】
画面表示装置２００の機能は、記憶部２１０、処理部２２０および入出力部２３０に分けられる。記憶部２１０には、ＮＷを構成する各装置の接続関係や、ＮＷに関する警報やフローの流量情報等、処理部２２０の表示画面生成時に参照される各種データ等が記憶される。処理部２２０は、入出力部２３０から入力された指示入力に基づき、記憶部２１０の各種情報を参照して、表示画面を生成し、入出力部２３０経由で表示装置３００に表示する。入出力部２３０は、入力装置４００からの各種指示入力を受け付け、処理部２２０へ出力する。また、入出力部２３０は、処理部２２０で生成された表示画面を、表示装置３００に出力表示する。
【００３９】
なお、入出力部２３０は、インターネットやＬＡＮ（Local Area Network）等のＮＷ経由で他の装置と通信を行うための通信インタフェースや入出力インタフェースから構成される。また、処理部２２０は、この画面表示装置２００が備えるＣＰＵ（Central Processing Unit）によるプログラム実行処理や、専用回路等により実現される。さらに、記憶部２１０は、ＲＡＭ（Random Access Memory）、ＲＯＭ（Read Only Memory）、ＨＤＤ（Hard Disk Drive）、フラッシュメモリ等の記憶媒体から構成される。なお、処理部２２０の機能をプログラム実行処理により実現する場合、記憶部２１０には、この処理部２２０の機能を実現するためのプログラムが格納される。
【００４０】
記憶部２１０は、装置情報保存部２１１と、警報保存部２１２と、流量情報保存部２１３と、設定保存部２１４とを備える。
【００４１】
装置情報保存部２１１は、装置属性情報保存部２１１１と装置接続関係保存部２１１２とを備える。装置属性情報保存部２１１１は、装置属性情報（図１３参照）を記憶している。この装置属性情報は、各時刻における、ＮＷの各装置の属性（階梯）と、当該装置の地図上の座標位置（緯度、経度の組み合わせ）と、当該装置に現用系または予備系のペアとなる装置（複数系装置）がある場合のペアとなる装置とを示した情報である。図１３に例示する装置属性情報は、装置番号（装置の識別情報）ごとに、その装置の装置名と、階梯と、階梯の番号（階梯番号）と、経度および緯度と、複数系装置とを示している。
【００４２】
図１２の装置接続関係保存部２１１２は、各時刻における装置間接続情報（図１３参照）を記憶している。この装置間接続情報は、ＮＷにおける各装置の接続関係を示した情報である。図１３に例示する装置間接続情報は、接続番号ごとに、装置の装置番号と、装置名と、その装置にリンク接続される装置の装置番号と、装置名とを示している。この装置間接続情報は、図１３に例示するように、物理的な接続情報（接続関係情報１）の他に、制御プレーンにおける接続情報（接続関係情報２）と、サービスプレーンにおける接続情報（接続関係情報３）とを含んでいてよい。
【００４３】
図１２の警報保存部２１２は、各時刻における、ＮＷの各装置やリンクへの警報情報を記憶している。この警報情報は、警報解析部２２３（後記）により作成される。
【００４４】
流量情報保存部２１３は、各時刻における、解析済みフロー情報を記憶している。この解析済みフロー情報は、各フローの経由装置を示した情報であり、流量情報解析部２２４（後記）により作成される。
【００４５】
設定保存部２１４は、設定情報を記憶している。この設定情報は、装置の階梯ごとに、当該階梯の表示画面上のｚ軸の座標（高さ）情報を示した情報である。設定情報は、例えば、図１３に示すように、装置の属する階梯ごとに、その階梯の表示階層を示した属性階層設定情報と、表示階層ごとに、その表示階層の高さ座標を示した階層座標設定情報とにより構成される。設定情報における各装置の高さ座標は、ＮＷの末端に位置する属性の装置ほど低い座標としている。なお、図１３に示す重要ビル情報は、図１２の処理部２２０が、末端階梯以外の装置が配置される個所に、立方体の重要ビル１５５で高さを示す目印（図９参照）を画面上に表示するときに参照される情報である。
【００４６】
次に、処理部２２０を説明する。処理部２２０は、装置属性情報解析部２２１と、装置接続関係解析部２２２と、警報解析部２２３と、流量情報解析部２２４と、座標計算部２２５と、表示用情報生成部２２６とを備える。破線で示した視点決定部２２７は、装備する場合と装備しない場合とがあり、装備する場合については後記する。
【００４７】
装置属性情報解析部２２１は、入出力部２３０経由で表示画面の時間軸バー１５９（図１０参照）等により選択入力された時刻（表示時刻）に対応する装置属性情報を装置属性情報保存部２１１１から読み出す。
【００４８】
装置接続関係解析部２２２は、入出力部２３０経由で時間軸バー１５９等により選択入力された時刻における装置間接続情報を読み出し、２つの装置間の装置間接続情報をつなぎあわせてＮＷ全体の装置間接続構造を求める。
【００４９】
警報解析部２２３は、警報受信部２３１（後記）経由でＮＷの各装置からの警報を取得し、警報の対象であるリンクや装置と、警報の発生時刻とを対応付けた警報情報を作成し、警報保存部２１２に保存する。
【００５０】
流量情報解析部２２４は、流量情報受信部２３２（後記）経由でＮＷの各装置からの通過フロー情報を受信する。そして、流量情報解析部２２４は、受信した通過フロー情報をつなぎあわせて、各フローが経由する装置を割り出し、各フローが経由する装置と、通過フロー情報の受信時刻とを対応付けた解析済みフロー情報を作成する。流量情報解析部２２４は、作成した解析済みフロー情報を流量情報保存部２１３に保存する。
【００５１】
座標計算部２２５は、入出力部２３０経由で選択入力された時刻における各種情報を記憶部２１０から取得し、三次元表示画面における各装置、リンク、警報、フロー等の座標位置を決定する。この座標計算部２２５の詳細は後記する。
【００５２】
表示用情報生成部２２６は、座標計算部２２５から出力された座標データに基づき各装置、各装置間を接続するリンク、リンクを経由するフローおよび各装置およびリンクの警報情報を重畳して配置した三次元表示画面を生成し、入出力部２３０へ出力する。
【００５３】
入出力部２３０は、表示装置３００や、入力装置４００、ＮＷの各装置との入出力インタフェースを司る。この入出力部２３０は、警報受信部２３１と、流量情報受信部２３２と、表示部２３３と、操作部２３４とを備える。
【００５４】
警報受信部２３１は、ＮＷの各装置からの警報情報を受信し、受信した警報情報を警報解析部２２３へ出力する。
【００５５】
流量情報受信部２３２は、ＮＷの各装置からの通過フロー情報を受信し、受信した通過フロー情報を流量情報解析部２２４へ出力する。
【００５６】
表示部２３３は、表示用情報生成部２２６で生成された三次元表示画面を表示装置３００へ出力する。
【００５７】
操作部２３４は、入力装置４００経由で入力された情報を座標計算部２２５へ出力する。
【００５８】
次に、座標計算部２２５を詳細に説明する。座標計算部２２５は、装置属性情報解析部２２１から、装置属性情報（図１３参照）を取得し、装置接続関係解析部２２２から、装置間接続情報（図１３参照）を取得し、設定保存部２１４から、設定情報（図１３参照）を取得する。また、座標計算部２２５は、警報保存部２１２から各装置やリンクに紐づけられた警報情報を取得し、流量情報保存部２１３から解析済フロー情報を取得する。
【００５９】
そして、座標計算部２２５は、装置間接続情報を参照して、選択された時刻における装置および装置間のリンクを特定する。また、座標計算部２２５は、装置属性情報（図１３参照）および設定情報（図１３参照）を参照して、特定した装置および装置間のリンクの、三次元表示画面上のｘｙ軸の座標位置と、各装置の属する階梯に対応するｚ軸の座標位置とを決定する。さらに、座標計算部２２５は、装置属性情報（図１３参照）を参照して、ある装置と現用系・予備系のペアとなる装置があるとき、三次元表示画面上に、このペアとなる装置群をペアとなる装置群であることを示す表示とともに配置する。例えば、図１０の表示画面例に示すように、ペアとなる装置群付近にこれらの装置を囲む楕円１５４を配置する。さらに、座標計算部２２５は、三次元表示画面上での装置間の接続関係の交差や、各階層内での装置重なりを低減するよう配置位置を調整する。
【００６０】
また、座標計算部２２５は、警報情報を参照して、選択された表示時刻の警報があれば、図１０に示すように、その警報を、三次元表示画面上の警報の対象となる装置およびリンクの近傍に配置する。さらに、座標計算部２２５は、解析済みフロー情報を参照して、選択された表示時刻におけるフロー１５７を、図１１に示すように、三次元表示画面上のフローの経由するリンクに配置する。そして、座標計算部２２５は、三次元表示画面上に、装置、リンク、フローおよび警報情報を重畳して配置したデータ（座標データ）を表示用情報生成部２２６へ出力する。表示用情報生成部２２６は、この座標データに基づき、図１０や図１１に例示するような三次元表示画面を生成する。
【００６１】
＜処理手順＞
次に、図１２，１３を参照しつつ、図１４を用いて画面表示装置２００の処理手順を説明する。
【００６２】
図１２の画面表示装置２００の操作部２３４が、表示画面上の時間軸バー１５９（図１０参照）等による選択入力により、入力装置４００から時刻の選択入力を受け付けると、装置属性情報解析部２２１は、装置属性情報保存部２１１１から、この選択された時刻に対応する属性情報を取得する（図１４のＳ１）。これにより、各装置の属性（階梯）と、各装置のｘｙ軸の座標位置とが分かる。
【００６３】
また、装置接続関係解析部２２２は、装置接続関係保存部２１１２から、選択された時刻に対応する装置間接続情報（図１３参照）を取得し、ＮＷ全体の装置間接続構造を求める（Ｓ２）。
【００６４】
さらに、座標計算部２２５は、設定保存部２１４から、選択された時刻に対応する設定情報を取得する（Ｓ３）。これにより、各装置の属する階梯に対応するｚ軸の座標が分かる。
【００６５】
次に、座標計算部２２５は、Ｓ１で取得した装置属性情報、Ｓ２で求めた装置間接続構造およびＳ３で取得した設定情報を参照して、装置および装置間のリンクの、三次元表示画面上のｘｙ軸の座標位置と、各装置の属する階梯に対応するｚ軸の座標位置とを決定する（Ｓ４）。このとき、座標計算部２２５は、装置属性情報（図１３参照）を参照して、ある装置と現用系・予備系のペアとなる装置がある場合、ペアとなる装置群を囲む表示（楕円１５４等）を三次元表示画面上に配置する（図９参照）。さらに、複数階梯のまたがる装置群が設置される個所に、ビル等の目印を配置する場合には、座標計算部２２５は、設定情報に含まれるビル情報（図１３参照）を参照して、三次元表示画面上に重要ビル１５５（立方体）等の目印を配置する（図９参照）。
【００６６】
さらに、座標計算部２２５は、三次元表示画面上での装置間の接続関係の交差や、各階層内での装置の重なりを低減するよう各装置およびリンクの座標位置を調整する（Ｓ５）。
【００６７】
警報解析部２２３は、警報受信部２３１が既に受信している警報を取得する（Ｓ６）。そして、警報解析部２２３は、装置属性情報解析部２２１より装置属性情報（図１３参照）を取得し、警報の対象となる装置およびリンクを特定する。そして、警報解析部２２３は、この警報の対象となるリンクおよび装置と、警報発生時刻とを紐づけた警報情報を作成し、警報保存部２１２に出力する。これにより、警報保存部２１２に最新の警報情報が保存される。
【００６８】
座標計算部２２５は、警報保存部２１２に保存された警報情報のうち、Ｓ１で選択された時刻における警報情報に記載の装置と、Ｓ５で調整した各装置およびリンクの座標位置とを参照して、三次元表示画面上での警報情報の座標位置を決定する（Ｓ７）。
【００６９】
また、座標計算部２２５は、流量情報保存部２１３から、Ｓ１で選択された時刻における解析済みフロー情報を参照して、三次元表示画面上に、各フローを当該フローの経由するリンクに配置する（Ｓ８）。そして、座標計算部２２５は、三次元表示画面上に、ＮＷの装置、リンク、フローおよび警報情報を重畳して配置したデータ（座標データ）を表示用情報生成部２２６へ出力する。
【００７０】
表示用情報生成部２２６は、出力された座標データをもとに、三次元表示画面上に、装置、リンク、フローおよび警報情報を重畳して配置した三次元表示画面を生成し（Ｓ９）、表示装置３００へ出力する（Ｓ１２）。
【００７１】
破線で示したＳ１０およびＳ１１は実行する場合と実行しない場合とがある。実行する場合については後記する。
【００７２】
これにより表示装置３００には、複数階梯によって構成される装置、現用系・予備系のペアとなる装置群、フロー、警報情報等が表示された三次元表示画面が表示される。このような表示画面によれば、ＮＷの障害の発生ポイントや、原因個所や、階梯や、り障範囲等を画面の閲覧者が把握しやすくなる。
【００７３】
＜絞り込み＞
なお、図１２の画面表示装置２００の表示用情報生成部２２６は、入力装置４００経由で入力された指示入力に基づき、三次元表示画面に表示する情報の絞り込みをするようにしてもよい。例えば、表示用情報生成部２２６は、指示入力に基づき、図１５に示すように、画面上に、制御およびサービスに関する項目（ここでは、装置とリンク）を表示し、装置間リンクおよび転送装置を非表示としてもよい。
【００７４】
＜視点の移動＞
また、画面表示装置２００は、三次元表示画面生成において、どの視点のどの方向から見た三次元表示画面を生成するかの選択入力を受け付けてもよい。つまり、画面表示装置２００は、画面表示において、視点の位置および向き（以下、まとめて「視点」とする）を自由に選択可能としてもよい。すなわち、例えば、画面表示装置２００は、画面の閲覧者の選択入力に基づき、図１６Ａに示す三次元表示画面を、視点１（垂直な視点）や視点２（水平な視点）から見た表示画面を表示してもよい（図１６Ｂまたは図１６Ｃ参照）。
【００７５】
この場合、画面表示装置２００は、図１２に示す視点決定部２２７をさらに備える。そして、図１４に示すＳ９の処理の後、視点決定部２２７は、操作部２３４経由で視点の選択入力を受け付けると、この視点に対応する三次元表示画面のカメラ座標位置および方向を決定する（Ｓ１０）。そして、視点決定部２２７は、表示用情報生成部２２６へ、カメラ座標位置を出力する。その後、表示用情報生成部２２６は、カメラ座標位置および方向と、座標計算部２２５で決定した装置の座標位置とに基づき、表示画面を生成する（Ｓ１１）。つまり、座標計算部２２５は、Ｓ９で生成した三次元表示画面を、Ｓ１０で選択された視点から見た表示画面を生成する。そして、表示用情報生成部２２６は、生成された表示画面を、表示部２３３へ出力する（Ｓ１２）。
【００７６】
例えば、図１６Ａに示す三次元表示画面上おいて、視点１が選択されたときは、図１６Ｂに示すような垂直な視点から見た図（平面図）が生成され、視点２が選択されたときは、図１６Ｃに示すような水平な視点から見た図（立面図）が生成される。そして、表示用情報生成部２２６は、図１６Ａに示す視点１，２で見たときの表示画面上に警報も併記し、図１７Ａおよび図１７Ｂに示すような表示画面を生成する。
【００７７】
さらに、表示用情報生成部２２６は、閲覧者の指示入力に基づき、ＮＷの一部の装置およびリンクに絞り込んだ表示をしてもよい。例えば、表示用情報生成部２２６は、図１７Ｃに示すように、サービスプレーンの装置およびリンクに絞り込んだ表示をしてもよい。これにより、画面の閲覧者は、ＮＷの一部の装置およびリンクの状況確認をしやすくなり、表示画面上で、障害の原因個所や、り障範囲をより推測しやすくなる。
【００７８】
＜警報の表示の仕方＞
また、表示用情報生成部２２６は、表示画面上において、警報の種別により異なる表示色や大きさ等で警報を表示することで、画面の閲覧者が重要障害発生ポイントを識別しや
すくするようにしてもよい。例えば、表示用情報生成部２２６は、図１８に示すように、重要度が高い警報と、重要度が低い警報とを異なる大きさのアイコンで表示して識別できるようにしてもよい。さらに、表示用情報生成部２２６は、直近所定時間以内に発出された警報を点滅等で表示してもよい。これにより、画面の閲覧者は、表示画面上でＮＷの状況変化を把握しやすくなる。
【００７９】
＜プレイバック表示＞
さらに、画面表示装置２００は、画面の閲覧者が選択した過去のある時刻から現在までのＮＷの障害の状況の変化を連続的に表示するようにしてもよい。すなわち、画面表示装置２００は、過去から現在までのＮＷ状況をプレイバック表示できるようにしてもよい。
【００８０】
例えば、図１９に示した障害発生の例において、ＮＷの転送装置１２１で障害が発生し、次いで、転送装置１２２で障害が発生し、ＮＷ全体でリンク警報が発出した場合を考える。この場合、図１２の表示用情報生成部２２６は、閲覧者により表示画面上の時間軸バー１５９等で選択された過去のある時刻から現在までのＮＷの状況を示す三次元表示画面を生成する。そして、表示用情報生成部２２６は、表示部２３３経由で、表示装置３００に、これらの三次元表示画面を連続的に表示する。例えば、表示用情報生成部２２６は、図１９Ｃに示す現在の状況表示の画面上の時間軸バー１５９が左側に動かされることにより選択された時刻に基づき、図１９Ａに示す過去の状況表示の画面を表示した後、図１９Ｂに示す過去の次の状況表示の画面を表示し、その後、図１９Ｃに示す現在の状況表示の画面に戻る。これにより、閲覧者は、ＮＷのどの装置が障害の起因となっており、警報の初発個所となっているかや、警報や障害の発生状況について、表示画面上で順を追って確認しやすくなる。
【００８１】
なお、前記した実施の形態において、三次元表示画面上の各装置の階梯を把握しやすいように重要ビル１５５等の目印を表示することとしたが、これに限定されない。例えば、画面表示装置２００は、三次元表示画面上に、ｘｙｚ軸のうちｚ軸の表示をしたり、あるいは階梯（階層）の目安となる線等を表示したりするようにしてもよい。
【符号の説明】
【００８２】
２００  画面表示装置
２１０  記憶部
２１１  装置情報保存部
２１２  警報保存部
２１３  流量情報保存部
２１４  設定保存部
２２０  処理部
２２１  装置属性情報解析部
２２２  装置接続関係解析部
２２３  警報解析部
２２４  流量情報解析部
２２５  座標計算部
２２６  表示用情報生成部
２２７  視点決定部
２３０  入出力部
２３１  警報受信部
２３２  流量情報受信部
２３３  表示部
２３４  操作部
３００  表示装置
４００  入力装置
２１１１  装置属性情報保存部
２１１２  装置接続関係保存部
【図１】
2014017385.tif 000003
【図２】
2014017385.tif 000004
【図３】
2014017385.tif 000005
【図４Ａ】
2014017385.tif 000006
【図４Ｂ】
2014017385.tif 000007
【図５Ａ】
2014017385.tif 000008
【図５Ｂ】
2014017385.tif 000009
【図６】
2014017385.tif 000010
【図７】
2014017385.tif 000011
【図８Ａ】
2014017385.tif 000012
【図８Ｂ】
2014017385.tif 000013
【図９】
2014017385.tif 000014
【図１０】
2014017385.tif 000015
【図１１】
2014017385.tif 000016
【図１２】
2014017385.tif 000017
【図１３】
2014017385.tif 000018
【図１４】
2014017385.tif 000019
【図１５】
2014017385.tif 000020
【図１６Ａ】
2014017385.tif 000021
【図１６Ｂ】
2014017385.tif 000022
【図１６Ｃ】
2014017385.tif 000023
【図１７Ａ】
2014017385.tif 000024
【図１７Ｂ】
2014017385.tif 000025
【図１７Ｃ】
2014017385.tif 000026
【図１８】
2014017385.tif 000027
【図１９Ａ】
2014017385.tif 000028
【図１９Ｂ】
2014017385.tif 000029
【図１９Ｃ】
2014017385.tif 000030
【国際調査報告】
2014017385.tif 000031
2014017385.tif 000032
2014017385.tif 000033
2014017385.tif 000034